(57)【特許請求の範囲】
【請求項１】
フロアパネル縁部に接して凹入状に形成された開口部の口縁に於いてフロアパネル上面より低位置に段差状に突設した載置用突縁に載置されるフロアパネル開口部用塞ぎ板であって、該開口部上面形状に対応する形状を有する頂板部と、設置時に該開口部開放端側に位置する該頂板部の１縁から垂下され該フロアパネル縁部と連続状に配置される垂下板部と、設置時に該開口部の該載置用突縁設置側に位置する該頂板部の他縁から垂下され下端縁が該載置用突縁の付け根部に於いて該載置用突縁上に載置される垂下縁部とを有し、該頂板部上には、柔軟材料層を介して該頂板部と略同形の金属薄板が積層されていると共に、該頂板部には、該垂下縁部に接して通線溝孔が凹入状に形成され、積層された該金属薄板には該通線溝孔の周縁外側に添う位置で部分的な接続点を有する切離し用切れ目が形成されていることを特徴とするフロアパネル開口部用塞ぎ板。
【請求項２】
２個の前記塞ぎ板の前記垂下板部相互を連結して複合型塞ぎ板とすることを特徴とする請求項１記載のフロアパネル開口部用塞ぎ板。
【請求項３】
フロアパネル縁部に接して凹入状に形成された開口部の口縁に於いてフロアパネル上面より低位置に段差状に突設した載置用突縁に載置されるフロアパネル開口部用塞ぎ板であって、該開口部上面形状に対応する形状を有する頂板部と、設置時に該開口部開放端側に位置する該頂板部の１縁から垂下され該フロアパネル縁部と連続状に配置される垂下板部と、設置時に該開口部の該載置用突縁設置側に位置する該頂板部の他縁から垂下され下端縁が該載置用突縁の付け根部に於いて該載置用突縁上に載置される垂下縁部とを有し、該頂板部上には、柔軟材料層を介して該頂板部と略同形の金属薄板が積層されていると共に、該頂板部には、該垂下縁部に接して通線溝孔が凹入状に形成され、積層された該金属薄板には該通線溝孔位置で該金属薄板を分割折曲げするための切れ目が形成されていることを特徴とするフロアパネル開口部用塞ぎ板。
【請求項４】
２個の前記塞ぎ板の前記垂下板部相互を連結して複合型塞ぎ板とすることを特徴とする請求項３項記載のフロアパネル開口部用塞ぎ板。
【発明の詳細な説明】
【０００１】
【発明の属する技術分野】
本発明は、フリーアクセスフロアで使用されるフロアパネルの開口部を閉塞する塞ぎ板に関する。
【０００２】
【従来の技術】
フリーアクセスフロアに於けるフロアパネルの縁部に接して凹入状に形成された開口部を閉塞する塞ぎ板は、従来硬質合成樹脂製であったが、合成樹脂製塞ぎ板は、火災時に変形や陥没を引き起し、塞ぎ板上の機器を転倒させたり、避難者が足を取られる恐れがあり、火災時にも変形等を生じない不燃材料製の塞ぎ板が要請されていた。不燃材料である金属製の塞ぎ板は実公平６−７１５３号、実公平６−１８９６８号等により提案されている。これらの塞ぎ板では、金属製フロアパネルの開口部口縁に設けられた載置面上に金属製塞ぎ板の裏面が面接触状態で載置されるものであり、フロアパネルの載置面と塞ぎ板との金属相互の直接的な接触による騒音の発生を防止するために、塞ぎ板裏面に緩衝性の帯片を貼着したり、植毛を施したりする手段を講じている。
【０００３】
【発明が解決しようとする課題】
かかる塞ぎ板に於ける騒音の発生について検討したところ、従来の面接触型の塞ぎ板でも、フロアパネルの載置面と塞ぎ板裏面とが完全に面接触していれば、特別な手段を施さなくとも殆ど騒音を発生しないが、実際にはフロアパネル又は塞ぎ板の製造時に、フロアパネルの載置面或は塞ぎ板裏面を完全な平面に仕上げることが困難なために不陸を生じていたり、又塞ぎ板の設置時又は設置後にフロアパネルの載置面と塞ぎ板との間に異物が侵入したりするために、フロアパネルの載置面と塞ぎ板裏面とが不完全な面接触状態となる結果、上方から加えられる荷重によって塞ぎ板の一部が浮上がり、この浮上がり部分が再度載置面に接触して騒音を発生する場合が非常に多く、そのために緩衝性帯片の貼着や植毛を施すことが必要になるものと判明した。又従来の面接触型の塞ぎ板では、設置後、塞ぎ板に加わる荷重は、フロアパネルの載置面全面に直接伝達されることになり、フロアパネルの載置面の自由端側にも荷重が加わる結果、載置面の自由端側は徐々に下方へ、又塞ぎ板の周縁側は徐々に上方に曲げ変形を生じる。このような曲げ変形の発生によって、フロアパネルの載置面と塞ぎ板との面接触状態は維持されなくなり、前記した騒音の発生を招来するばかりでなく、さらには、塞ぎ板の離脱移動を生じることになる。
【０００４】
前記の点に鑑みて、本発明が解決しようとする課題は、フロアパネルの載置面に安定した状態で載置されることによって、騒音の発生や不測の離脱移動等を防止することができ、強固で高い剛性を有するフロアパネル開口部用塞ぎ板を提供することにある。
同時に本発明が解決しようとする他の課題は、自体の制振を行ったフロアパネル開口部用塞ぎ板を提供することにある。
又本発明が解決しようとする他の課題は、塞ぎ板に設けられる通線孔を必要時のみ容易に連通状態とすることができる手段を有するフロアパネル開口部用塞ぎ板を提供することにある。
更に本発明が解決しようとする他の課題は、隣接するフロアパネルの対向する開口部に跨って配設される複合型塞ぎ板を得る手段を有するフロアパネル開口部用塞ぎ板を提供することにある。
【０００５】
【課題を解決するための手段】
前記の課題を解決するために、本発明にかかるフロアパネル開口部用塞ぎ板は、フロアパネル縁部に接して凹入状に形成された開口部の口縁に於いてフロアパネル上面より低位置に段差状に突設した載置用突縁に載置されるフロアパネル開口部用塞ぎ板であって、該開口部上面形状に対応する形状を有する頂板部と、設置時に該開口部開放端側に位置する該頂板部の１縁から垂下され該フロアパネル縁部と連続状に配置される垂下板部と、設置時に該開口部の該載置用突縁設置側に位置する該頂板部の他縁から垂下され下端縁が該載置用突縁の付け根部に於いて該載置用突縁上に載置される垂下縁部とを有し、該頂板部上に柔軟材料層を介して該頂板と略同形の金属薄板が積層されている基本的な構造を特徴とする。
又、塞ぎ板に設けられる通線孔を必要時にのみ連通状態とするために、前記頂板部に、前記垂下縁部に接して通線溝孔が凹入状に形成され、積層された前記金属薄板には該通線溝孔の周縁外側に添う位置で部分的な接続点を有する切離し用切れ目が形成されているものとしたり、積層された前記金属薄板には該通線溝孔位置で該金属薄板を分割折曲げするための切れ目が形成されているものとしたりする手段を有することを特徴とする。
更に、隣接するフロアパネルの相対向する開口部に跨って配設される塞ぎ板として、２個の塞ぎ板単体の前記垂下板部相互を連結して複合型塞ぎ板を得ることを特徴とする。
【０００６】
【発明の実施の形態】
本発明の実施の形態について、添付図面と共に説明される発明の実施例によって明らかにする。
図１は、フリーアクセスフロアに於けるフロアパネルの敷設状況を示す平面図であって、図中符号１は本発明にかかる塞ぎ板が設置されるフロアパネル単体を示す。フロアパネル１は床スラブ上に縦横に多数敷設されて床面が形成される。フロアパネル１にはパネルの１縁又は相対する２縁に於いて縁部に接して開口部２が設けられており、信号ケーブルや幹線ケーブルを床下から床上面に引出したり、コンセント器具を設置することができるようにされている。そして隣接するフロアパネル１，１の相対向する縁部に隣接するフロアパネルの双方の開口部２，２が存在するようにフロアパネルを敷設すれば、２倍の広さの開口部が形成されるので、ケーブルの太い束を引出すことや大型のコンセント器具を設置することができる。これらの開口部２はケーブルの通線やコンセント器具の設置等の必要な個所に於いてのみ開放され、不必要な個所では本発明にかかる塞ぎ板１０によって閉塞される。尤も塞ぎ板１０自体にも通線孔を設置することが可能であって、その場合には塞ぎ板１０を設置した箇所でも細いケーブル等を塞ぎ板１０に於ける通線孔から引出し可能である。
【０００７】
図２は、本発明による塞ぎ板１０をフロアパネル１に載置する状態を示した斜視図であって、鋼板によってその外郭が構成されるフロアパネル１には、フロアパネル１の縁部３に接して開口部２が凹入状に形成されている。開口部２はフロアパネル１の縁部３に沿う開放端と、フロアパネル１の上面４から凹窪状に形成された口縁５とによって囲まれた略長方形状平面をなし、この口縁５にはフロアパネル上面４より低い位置に於いて段差状に載置用突縁６が突設されている。載置用突縁６の上面は連続した平面を構成し、塞ぎ板１０を載置できるようにされている。
【０００８】
本発明にかかる塞ぎ板１０は、鋼板をプレス加工することによってその主体部が製造される。塞ぎ板１０は、その基本的構成として、開口部２の上面形状である略長方形状平面をなす頂板部１１と、塞ぎ板１０設置時に開口部２の開放端側に位置する頂板部１１の１縁から垂下されると共に、フロアパネル１の縁部３と連続状に配置される垂下板部１２と、塞ぎ板１０設置時に開口部２の載置用突縁６側に位置する頂板部１１の他の３縁から垂下されると共に、下端縁１４が載置用突縁６の付け根部７に於いて載置用突縁６上に載置される垂下縁部１３とを有する。すべての垂下縁部１３と垂下板部１２とはその周囲方向に連続して設けられており、垂下板部１２は、塞ぎ板１０設置の際にフロアパネル１縁部の載置用突縁６，６と衝接しないように、その両側に切欠１５，１５が形成されている。図３、図４、図７等で明らかなように、頂板部１１には、必要に応じて、塞ぎ板１０を補強し且つ剛性を高めるための突条１６が設けられる。
【０００９】
塞ぎ板１０を、その垂下板部１２がフロアパネル１の縁部３に連続するように位置させてフロアパネル１の開口部２上に設置した場合に、図３及び図４に示されるように、塞ぎ板１０は、その垂下縁部１３の下端縁１４がすべてフロアパネル１の開口部２に於ける載置用突縁６の付け根部７上で当接した状態で支持される。このように、平面状をなすフロアパネル１の載置用突縁６に対して、塞ぎ板１０に於ける垂下縁部１３の下端縁１４が線接触状の当接状態で載置されるから、面接触型の従来品と比較して接触面積は僅少であり、面接触型で生じる製造時の接触面の不陸状態の発生や設置後の接触面への異物の侵入等に伴う接触面間の不陸状態の発生は僅少となり、不陸に伴う接触面での騒音の発生を防止することができる。又塞ぎ板１０に於ける垂下縁部１３の下端縁１４は、フロアパネル１に於ける載置用突縁６の付け根部７に載置されるから、載置用突縁６自由端側には曲げモーメントは発生せず、又面接触型の従来品と比較して付け根部７に於ける最大曲げモーメントが僅少となるから、永年の使用によっても、載置用突縁６や塞ぎ板１０が変形を起して接触部の位置が変化するようなことがなく、騒音の発生を防止することができると共に、塞ぎ板の不用意な移動、離脱等を防止することができる。更に、塞ぎ板１０は開口部２の開放端側の縁部に背の高い垂下板部１２が形成され、又他の縁部に垂下縁部１３が形成されているので、全体として強固で高い剛性を有する。
【００１０】
図５及び図７に示されるように、塞ぎ板１０の頂板部１１には垂下縁部１３に接して通線溝孔１７が凹入状に形成されており、更に図３乃至図５に示されるように、塞ぎ板１０の頂板部１１上には、両面接着テープ等の柔軟材料層１９を介して金属薄板２０が通線溝孔１７を覆うように積層されている。金属薄板２０は頂板部１１と略同形でやや小さめな平面を有し、柔軟材料層１９はこの金属薄板２０と同形若しくはそれより小面積とされる。歩行に伴う振動や載置した機器からの振動により塞ぎ板１０が振動した場合に、柔軟材料層１９は塞ぎ板１０に於ける頂板部１１の曲げ振動により伸縮するが、柔軟材料層１９はその上面を金属薄板２０によってその伸縮が拘束されるために、曲げ振動は柔軟材料層１９のせん断変形に変換され、このせん断変形によってエネルギー吸収されるので、塞ぎ板１０に制振効果が付与され、塞ぎ板１０自体の騒音発生を防止することができる。金属薄板２０としてはヤング係数が比較的高く伸縮が少ない金属板がより効果的であり、通常薄鋼板が使用される。柔軟材料層１９には両面接着テープ以外に、柔軟性を有する合成樹脂シート又はフィルム、紙、布等を使用することができ、又積層も、熱溶着で行ったり、接着剤による貼着で行ったりすることができる。前記のように柔軟材料層１９はそのせん断変形を利用するために、制振作用が柔軟材料層１９の厚さに依存することは少なく、薄くても充分な制振効果を発揮させることができる。柔軟材料層１９を薄くした場合には、厚い柔軟材料層で生じる沈み込みによる歩行感の低下を防止することができると共に、安価に製造することができる。
【００１１】
金属薄板２０には通線溝孔１７について必要時にのみ連通孔とするための手段が設けられている。一例として図５には、金属薄板２０の切離し部片２１を連通孔形成時に切取る形式の手段が示される。金属薄板２０には通線溝孔１７の周縁外側に添う位置で部分的な接続点２２を有する切離し用切れ目２３が形成されており、連通孔形成時に接続点２２を切断し、切離し部片２１を当該部分の柔軟材料層１９共々取除けば、連通孔が容易に開設される。連通孔を開設しない場合には切離し部分２１の周縁は通線溝孔１７の周縁外側に添う位置に存在するために、切離し部分２１に加わる荷重は柔軟材料層１９を介して直接頂板部１１に伝達されるために、切離し部分２１が陥没することがない。又図８及び図９には、金属薄板２０の折曲げ部分２４を連通孔形成時に折曲げる形式の手段が示される。金属薄板２０には、通線溝孔１７の位置で当該位置の金属薄板２０を通線溝孔１７内に分割折曲げをするための切れ目２５が形成されており、連通孔形成時にはドライバ等によって折曲げ部分２４を通線溝孔１７の縁に添って分割折曲げをするだけの簡単な操作で連通孔を開設することができる。
【００１２】
前述したように、隣接するフロアパネル１，１の相対向する縁部に隣接するフロアパネル１，１の双方の開口部２，２が存在するようにフロアパネルを敷設すれば、２倍の広さの開口部を形成することができる。かかる２倍の広さの開口部を閉塞するためには、塞ぎ板１０を２枚用意し、それぞれの開口部２に塞ぎ板１０を設置することによっても可能であるが、設置後使用中に、かかる２枚の塞ぎ板１０，１０のそれぞれの垂下板部１２が相互に接触し、騒音発生の原因となったり、又それぞれのフロアパネル１に於ける開口部２の開放端側が向合って、塞ぎ板１０の側方移動に対する規制が弱まるために塞ぎ板１０の移動離脱が生じやすくなる。図１０に示される塞ぎ板の例は、このような２倍の広さの開口部を閉塞するための、複合型塞ぎ板であって、図２、図３、図６等に示されるように、塞ぎ板１０の垂下板部１２には所定位置に透孔１８が穿孔されており、２枚の塞ぎ板１０，１０の垂下板部１２，１２を当接した状態で透孔１８，１８間に鋲２６を挿通して鋲接し、２枚の塞ぎ板１０，１０を一体的に接続したものである。このような複合型塞ぎ板は、前記隣接する開口部２，２に設置することが容易であり、又設置された場合に、塞ぎ板単体相互の接触による騒音の発生を防止し、又隣接するフロアパネル１，１で包囲されるように形成された載置用突縁６に複合型塞ぎ板の周縁に形成される垂下縁部１３が載置されるから、安定した載置状態が得られ、塞ぎ板の移動離脱も生じない。尚図示の複合型塞ぎ板は鋲２６によって予め接続されているが、ボルト接合によって現場で接合するようにすることも可能である。
【００１３】
【発明の効果】
本発明は、次のような効果を奏する。
Ａ．平面状をなすフロアパネルの載置用突縁に対して、塞ぎ板に於ける垂下縁部の下端縁が線接触状の当接状態で載置されるから、面接触型の従来品と比較して接触面積は僅少であり、面接触型で生じる製造時の接触面の不陸状態の発生や設置後の接触面への異物の侵入等に伴う接触面間の不陸状態の発生は僅少となり、不陸に伴う接触面での騒音の発生を防止することができる。
Ｂ．塞ぎ板に於ける垂下縁部の下端縁は、フロアパネルに於ける載置用突縁の付け根部に載置されるから、載置用突縁自由端側には曲げモーメントは発生せず、又面接触型の従来品と比較して付け根部に於ける最大曲げモーメントが僅少となるから、永年の使用によっても、載置用突縁や塞ぎ板が変形を起して接触部の位置が変化するようなことがなく、騒音の発生を防止することができると共に、塞ぎ板の不用意な移動、離脱等を防止することができる。
【００１４】
Ｃ．塞ぎ板は開口部の開放端側の縁部に垂下板部が形成され、又他の縁部に垂下縁部が形成されているので、全体として強固で高い剛性を有する。
Ｄ．頂板部上に柔軟材料を介して金属薄板が積層されているので、歩行に伴う振動や載置した機器からの振動により塞ぎ板が振動した場合に、柔軟材料層は塞ぎ板に於ける頂板部の曲げ振動により伸縮するが、柔軟材料層はその上面を金属薄板によってその伸縮が拘束されるために、曲げ振動は柔軟材料層のせん断変形に変換され、このせん断変形によってエネルギー吸収されるので、塞ぎ板に制振効果が付与され、塞ぎ板自体の騒音発生を防止することができる。
Ｅ．頂板部に通線溝孔が形成され、金属薄板には通線溝孔の周縁外側に添う位置で切離し用切れ目が形成されている態様では、通線が必要な場合に、通線溝孔上の金属薄板を切離し用切れ目を利用して取除き、容易に通線可能な連通孔を開設することができると共に、通線が不必要な場合には、切離し用切れ目が通線溝孔の周縁外側に添う位置に設けられているために、切離されるべき金属薄板部分が通線溝孔内に陥没することがない。
【００１５】
Ｆ．頂板部に通線溝孔が形成され、金属薄板には通線溝孔位置で金属薄板を分割折曲するための切れ目が形成されている態様では、通線が必要な場合に、折曲げ部分を通線溝孔の縁に添って分割折曲げ、容易に通線可能な連通孔を開設することができる。
Ｇ．２個の塞ぎ板の垂下板部相互を連結して複合型塞ぎ板とする態様では、隣接するフロアパネルの相対向する縁部に双方の開口部が存在するようにフロアパネルが敷設された場合に、塞ぎ板単体２個を設置する場合に比較して、単一操作で双方の開口部を閉塞する塞ぎ板を設置することができると共に、塞ぎ板単体相互の接触による騒音の発生を防止し、隣接するフロアパネルで包囲されるように形成された載置用突縁上に複合型塞ぎ板の周囲に形成される垂下縁部が載置されるから安定した載置状態が得られ、塞ぎ板の移動離脱がない。
【図面の簡単な説明】
【図１】本発明にかかる塞ぎ板が設置されるフロアパネルの敷設状況を示す平面図である。
【図２】本発明による塞ぎ板をフロアパネルに載置する状況を示す斜視図である。
【図３】フロアパネルに載置される塞ぎ板の断面図である。
【図４】図３と同様な図３と垂直な位置に於ける断面図である。
【図５】塞ぎ板の１例を示す上面図である。
【図６】同様な塞ぎ板の側面図である。
【図７】同様な塞ぎ板の裏面図である。
【図８】塞ぎ板の他例を示す上面図である。
【図９】折曲げ部分を折曲げた状態での図８のＡ−Ａ線に於ける断面図である。
【図１０】複合型塞ぎ板の断面図である。
【符号の説明】
１    フロアパネル                ２    開口部
３    縁部                        ４    上面
５    口縁                        ６    載置用突縁
７    付け根部                  １０    塞ぎ板
１１    頂板部                    １２    垂下板部
１３    垂下縁部                  １４    下端縁
１７    通線溝孔                  １９    柔軟材料層
２０    金属薄板                  ２２    接続点
２３    切離し用切れ目            ２５    切れ目
【図１】
0003659602.tif 000002
【図２】
0003659602.tif 000003
【図３】
0003659602.tif 000004
【図４】
0003659602.tif 000005
【図５】
0003659602.tif 000006
【図６】
0003659602.tif 000007
【図７】
0003659602.tif 000008
【図８】
0003659602.tif 000009
【図９】
0003659602.tif 000010
【図１０】
0003659602.tif 000011